(57)【要約】排気ガス通路（６；９）を通って流れるガスに乱流を発生させる及び／又は排気ガス通路を通って流れるガスを混合するための排気ガス通路用のインサートであって、排気ガス通路の断面を部分的に覆うインサート。本発明は、インサート（１）が引き伸ばされた螺旋状のワイヤエレメントを包含し、螺旋中の各ワイヤの巻き（２）がほぼ星型を有するように角度のつけられた部分を有し、ワイヤエレメントが螺旋の長手方向軸線方向に伸張部を有し、螺旋の長手方向軸線方向に沿ってワイヤが破断されてなく、ワイヤエレメントが自己支持式であることを特徴とする。
2004514086.tif 000002
【特許請求の範囲】
【請求項１】
排気ガス通路（６；９）を通って流れるガスに乱流を発生させる及び／又は排気ガス通路（６；９）を通って流れるガスを混合するための排気ガス通路用のインサート（１）であって、排気ガス通路の断面を部分的に覆うインサートにおいて、前記インサート（１）が引き伸ばされた螺旋状のワイヤエレメントを包含し、螺旋中の各ワイヤの巻き（２）がほぼ星型を有するように角度のつけられた部分を有し、ワイヤエレメントが螺旋の長手方向軸線方向に伸張部を有し、螺旋の長手方向軸線方向に沿ってワイヤが破断されてなく、ワイヤエレメントが自己支持式であることを特徴とするインサート。
【請求項２】
請求項１によるインサートにおいて、インサート（１）の長さがその直径の２倍以上であることを特徴とするインサート。
【請求項３】
請求項１又は２によるインサートにおいて、前記ワイヤが鉄（Ｆｅ）、クロム（Ｃｒ）、アルミニウム（Ａｌ）を含む材料から成ることを特徴とするインサート。
【請求項４】
請求項１から３のいずれか１項によるインサートにおいて、前記ワイヤが一つ以上の触媒材料によって被覆されていることを特徴とするインサート。
【請求項５】
請求項１から４のいずれか１項によるインサートにおいて、前記ワイヤがプラチナ（Ｐｔ）及び／又はロジウム（Ｒｈ）によって被覆されていることを特徴とするインサート。
【請求項６】
請求項１から５のいずれか１項によるインサートにおいて、少なくとも前記排気ガス通路（６；９）の内面上にあるインサートの部分（１４）が前記内面にはんだ付け又は溶接されていることを特徴とするインサート。
【請求項７】
請求項１から６のいずれか１項によるインサートにおいて、前記螺旋状のワイヤエレメントはその中心に円筒中空部分（１１）を形成するように巻かれていることを特徴とするインサート。
【請求項８】
請求項７によるインサートにおいて、セラミック材料の細長い円筒形コア（１２）が前記円筒中空部分（１１）内に配置されていることを特徴とするインサート。
【発明の詳細な説明】
【０００１】
（技術分野）
本発明は排気ガス通路用のインサートに関する。
【０００２】
（背景技術）
インサートの一つの目的は、排気ガスの浄化を意図して、排気ガス通路を通って流れるガスに乱流を作ること及び／又は排気ガス通路を通って流れるガスを混合することである。
【０００３】
この性質の異なるタイプのインサートが当業界には公知である。あるものは非常に多くの穴があけられた板から成る。そのようなインサートの例は穴があけられた又は切られた触媒網である。これは多くの廃棄材料を生ずる。
【０００４】
網、ワイヤ、又は他の適当な材料の多くの層からなり、各層を一緒に保つために、各層が燒結され、ロッドに溶接され、他の適当な方法で機械的に固定されたインサートも利用可能である。この技術は比較的効果である。
【０００５】
そのような公知のインサートは、不可能でないならば、曲がった排気ガス通路内に挿入することは困難である。
【０００６】
（発明の開示）
本発明の目的は、安価に製作することができ、直線状の排気ガス通路や曲がった排気ガス通路内に容易に挿入され得るインサートを提供することである。
【０００７】
したがって、本発明は、排気ガス通路を通って流れるガスに乱流を発生させる及び／又は排気ガス通路を通って流れるガスを混合するための排気ガス通路用のインサートであって、排気ガス通路の断面を部分的に覆うインサートに関しており、本発明は、前記インサートが引き伸ばされた螺旋状のワイヤエレメントを包含し、螺旋中の各ワイヤの巻きがほぼ星型を有するように角度のつけられた部分を有し、ワイヤエレメントが螺旋の長手方向軸線方向に伸張部を有し、螺旋の長手方向軸線方向に沿ってワイヤが破断されてなく、ワイヤエレメントが自己支持式であることを特徴とする。
【０００８】
（発明を実施するための最良の形態）
本発明を添付図面に示された本発明の実施例を部分的に参照してより詳細に説明する。
【０００９】
本発明のインサートは、排気ガス通路を通って流れるガスに乱流を発生させる及び／又は排気ガス通路を通って流れるガスに混合を生じさせるように、排気ガス通路中に入れられることを意図している。インサートは、排気ガス通路の断面を部分的に覆う。しかし、インサートは、排気ガス通路の断面全体に位置している。
【００１０】
本発明によれば、インサート１は引き伸ばされた螺旋形状のワイヤエレメントを有し、螺旋の各ワイヤ巻き２は角度をつけられた部分を有し、その結果、各巻はほぼ星型を有している。図２参照。
【００１１】
ワイヤエレメントは、螺旋の長手方向軸線に沿って、伸張部を有し、それに沿ってワイヤは破断していない。ワイヤエレメントは自己支持式である。
【００１２】
この構成のワイヤエレメントは、加熱目的の抵抗エレメントとして、「Ｋａｎｔｈａｌ　ＡＢ」社から売りに出されている。該ワイヤエレメントはＰｏｒｃｕｐｉｎｅの商標の元に市販されている。
【００１３】
好適実施例に拠れば、ワイヤは、鉄（Ｆｅ）、２０〜２４重量パーセントのクロム（Ｃｒ）、４〜１０重量パーセントのアルミニウム（Ａｌ）を含む材料から成る。これはワイヤが排気ガス通路中の高温に耐えることを可能にする。適したワイヤの直径は０．５〜３ｍｍである。
【００１４】
インサートは、図３および図４に示すように、排気ガス通路の内径に相当する又は僅かに小さい外径を有することが都合よい。
【００１５】
入り組んだ構造の結果として、ワイヤエレメントは排気ガス通路中に非常に大きな乱流を発生させることは明らかであろう。
【００１６】
一つの好適実施例に拠れば、インサートの長さは、非常に大きい乱流を生成するように、その直径の２倍を超えている。
【００１７】
一実施例において、インサートはミキサーとして機能する。この例の一つが図４に示されている。そこでは、参照数字３はバーナーを指し、参照数字６は排気ガス通路を指し、参照数字５は２次空気入り口を指す。２次空気は、より完全な燃焼を達成するように、バーナーからの廃ガスと混合され及び反応することを意図されている。この場合において、混合は、７で示されているように、インサート２において達成されている。
【００１８】
図３は、本発明の他の適用例を示し、参照数字８はバーナーを指し、参照数字９は排気ガス通路を指し、参照数字１０は２次空気入り口を指す。
【００１９】
一つの好適実施例に拠れば、螺旋状のワイヤエレメント１は、エレメントの中心に円筒中空部１１を形成するように巻かれている。図２参照。図２において、Ｄはエレメントの外径を示し、ｄは中空部１１の径を示す。この性質のエレメントは自己支持式である。
【００２０】
別の実施例に拠れば、セラミック材料の細長い円筒コア１２が円筒中空部１１内に配置されている。この例は図１から最もよくわかる。
【００２１】
ワイヤエレメントは、二つの同心パイプ間の通路中に挿入されるのを可能にするようにも巻かれ得る。そのような適用例は、バーナーのある形において見られ、そのようなバーナーの一つがスウエーデン特許第９８００４７３−２号に記載されている。
【００２２】
図３の実施例において、コア１２はパイプの形を有しており、そこを通って、２次空気は廃ガスと混合するためにワイヤエレメント中に通過している。パイプ又はコア１２はその長さに沿って、その胴表面に適当な穴を有している。
【００２３】
本発明の高度に好適な実施例に拠れば、ワイヤは触媒材料によって被覆されている。これに関して、ワイヤをプラチナ（Ｐｔ）及び／又はロジウム（Ｒｈ）で被覆することは好ましい。例えば、ワイヤは、１０〜５０％ロジウム及び９０〜５０％プラチナで被覆されてよい。
【００２４】
ワイヤの表面を酸化アルミ（Ａｌ２Ｏ３）で覆うように、ワイヤを被覆する前にエレメントを高温で酸化することが好ましい。
【００２５】
この被覆の結果として、エレメント１は触媒として機能する。これは図４に示され、そのような触媒の一つが１３で示されている。
【００２６】
そのような触媒は広い表面積を有していて、高度な乱流を生成し、低い圧力低下を引き起こす。
【００２７】
その構成ゆえに、インサートは曲がった排気ガス通路中に押し込まれることができ、直線状の通路中に挿入された時と同じ効果を提供することは明らかであろう。
【００２８】
例えば、触媒被覆を有したインサートは内燃機関の排気ガス通路中に挿入されることができ、機関のインテーク・イグゾースト・マニフォールドから排気ガス通路のさらに下流の位置へ延在することができる。
【００２９】
そのような適用及び他の適用においても、少なくとも前記通路の内面に当接するインサートの部分は前記面にはんだ付け又は溶接されていることが好ましい。図２において、排気ガス通路の内面に接する部分は外側部分１４である。
【００３０】
発明をいくつかの実施例を参照して上に説明してきたが、インサートの形状はインサートの適用例に適合されなければならないことは明らかであろう。
【００３１】
したがって、本発明は上に説明してきた実施例に限定されるものとみなすべきではない。なぜならば、変更が特許請求の範囲内でなされ得るからである。
【図面の簡単な説明】
【図１】
本発明のインサートの斜視図である。
【図２】
該インサートの長手方向軸線方向に沿って見たところの該インサートを示す。
【図３】
該インサートの一つの適用例を示す。
【図４】
該インサートの別の適用例を示す。
【国際公開パンフレット】
2004514086.tif 000003
2004514086.tif 000004
2004514086.tif 000005
2004514086.tif 000006
2004514086.tif 000007
2004514086.tif 000008
2004514086.tif 000009
2004514086.tif 000010
【国際調査報告】
2004514086.tif 000011
2004514086.tif 000012